(57)【要約】      （修正有）【課題】竹馬を安定させて上手く乗れない人でも楽しむことができ、さらに利用後には収納スペースの状況に依らず効率的に収納することが可能な竹馬を提供する。【解決手段】竹馬１００は、使用者の足を載置可能な足台１０と、ストッパを介して足台が取り付けられる竿部２０と、竿部の下端に設けられて、接地面と少なくとも３点以上で接地する支柱部を備えた安定脚部３０と、安定脚部と竿部とを接続する接続ジョイント部４０と、を含み、接続ジョイント部は、足台に使用者の足が載置されていないときに竿部を立接させるとともに足台に使用者の足が載置されたときに竿部の上端部を揺動可能に支持する第１弾性支持体を含む。【選択図】図１
0003228258.tif 000002
【実用新案登録請求の範囲】
【請求項１】
使用者の足を載置可能な足台と、
ストッパを介して前記足台が取り付けられる竿部と、
前記竿部の下端に設けられて、接地面と少なくとも３点以上で接地する支柱部を備えた安定脚部と、
前記安定脚部と前記竿部とを接続する接続ジョイント部と、を含み、
前記接続ジョイント部は、前記足台に前記使用者の足が載置されていないときに前記竿部を立接させるとともに前記足台に前記使用者の足が載置されたときに前記竿部の上端部を揺動可能に支持する第１弾性支持体を含むことを特徴とする、竹馬。
【請求項２】
前記第１弾性支持体は、前記安定脚部の凹部に配設される下端部と、前記竿部の下端と接続される上端部と、を含むゴム部材により構成されてなることを特徴とする、請求項１に記載の竹馬。
【請求項３】
前記接続ジョイント部の変位に追従して変形可能に当該接続ジョイント部を覆う弾性カバー部材をさらに備えたことを特徴とする、請求項１又は２に記載の竹馬。
【請求項４】
前記支柱部は、
前記接地面と接地する少なくとも３つの支柱を備え、
各々の前記支柱は、前記接地面と接地するとともに前記第１弾性支持体の硬度よりも軟質の第２弾性支持体を含んで構成されてなることを特徴とする、請求項１〜３のいずれか一項に記載の竹馬。
【請求項５】
前記各々の支柱に配設される第２弾性支持体は、前記竿部の傾斜方向の側が相対的に低い硬度となるように、互いに異なる硬度を有してなることを特徴とする、請求項４に記載の竹馬。
【考案の詳細な説明】
【技術分野】
【０００１】
本考案は、例えば子供から大人に至るまで様々な人が比較的容易に興じられる竹馬に関する。
【背景技術】
【０００２】
従来からの遊びの一つとして竹馬が知られている。かような竹馬は、例えば特許文献１に例示するように、竿部の下部側に足台を設けたもので、足台は、基端部に竿部にスライド自在に嵌合する係合穴が形成されている。この特許文献１では係合穴の内面や竿部外周面の状態によっては足台が下降することがあって安定性に欠けるという指摘から、特許文献２に例示される竹馬も提案されている。
【０００３】
かような特許文献２における竹馬では、足台（１００）を竿部（９１）に固定可能な足台ストッパ（１０４）を設け、前記足台ストッパ（１０４）は、前記支持筒部（１０１）の前記支持穴（１８）近傍に、固定端部が前記接線方向軸（１０３）に平行な支持ピン（８３）を介して上下方向に揺動自在に支持されている。
【０００４】
これに加え、特許文献２の竹馬では、当該固定端部で前記支持ピン（８３）より下部に形成されて竿部（９１）に当接可能な加圧端（８２ａ）、および遊端部に設けられて前記踏み台（１０２）により下方に押し下げ可能な踏圧部（８５）を有する加圧レバー（８２）と、当該加圧レバー（８２）と前記支持筒部（１０１）との間に介在され当該加圧レバー（８２）を下方に押し下げて前記加圧端（８２ａ）を竿部（９１）に圧接する方向に付勢する付勢部材（８７）とが具備されている。
【先行技術文献】
【特許文献】
【０００５】
【特許文献１】特開平１０−１４６４０２号公報
【特許文献２】特開２０１３−６６６９２号公報
【考案の概要】
【考案が解決しようとする課題】
【０００６】
しかしながら、上述した各特許文献に限らず現在の技術では市場のニーズを適切に満たしているとは言えず、以下に述べるごとき課題が存在する。
すなわち、竹馬は古くから遊びに供されていることから、子供から大人に至るまで様々な人が利用する。したがって、人によっては種々の理由から安定させることが難しいなどの事情もある。この場合、足台に足を乗せた使用者が比較的安定するような構造も希求されている。
【０００７】
また、従来の竹馬は、その利用形態から垂直に立てた状態では安定せず、収納する際は他に立てかけるか倒した状態で収納する必要があった。
このように本考案は、上記した課題に鑑みて、竹馬を安定させて上手く乗れない人でも楽しむことができ、さらに利用後には収納スペースの状況に依らず効率的に収納することが可能な竹馬を提供することを目的とする。
【課題を解決するための手段】
【０００８】
上記課題を解決するため、本考案の一実施形態にかかる竹馬は、（１）使用者の足を載置可能な足台と、ストッパを介して前記足台が取り付けられる竿部と、前記竿部の下端に設けられて、接地面と少なくとも３点以上で接地する支柱部を備えた安定脚部と、前記安定脚部と前記竿部とを接続する接続ジョイント部と、を含み、前記接続ジョイント部は、前記足台に前記使用者の足が載置されていないときに前記竿部を立接させるとともに前記足台に前記使用者の足が載置されたときに前記竿部の上端部を揺動可能に支持する第１弾性支持体を含む。
【０００９】
なお、上記した（１）に記載の竹馬においては、（２）前記第１弾性支持体は、前記安定脚部の凹部に配設される下端部と、前記竿部の下端と接続される上端部と、を含むゴム部材により構成されてなることが好ましい。
【００１０】
また、上記した（１）又は（２）に記載の竹馬においては、（３）前記接続ジョイント部の変位に追従して変形可能に当該接続ジョイント部を覆う弾性カバー部材をさらに備えることが好ましい。
【００１１】
また、上記した（１）〜（３）に記載の竹馬においては、（４）前記支柱部は、前記接地面と接地する少なくとも３つの支柱を備え、各々の前記支柱は、前記接地面と接地するとともに前記第１弾性支持体の硬度よりも軟質の第２弾性支持体を含んで構成されてなることが好ましい。
【００１２】
このとき上記した（４）に記載の竹馬においては、（５）前記各々の支柱に配設される第２弾性支持体は、前記竿部の傾斜方向の側が相対的に低い硬度となるように、互いに異なる硬度を有してなることが好ましい。
【考案の効果】
【００１３】
本考案によれば、竹馬に比較的安定して乗ることができ、さらには利用後には竹馬を自立させて収納スペースに収容することが可能となる。
【図面の簡単な説明】
【００１４】
【図１】第１実施形態における竹馬１００の外観を示した模式図である。
【図２】竹馬１００のうち下部構造α（安定脚部３０及び接続ジョイント部４０）を示した模式図である。
【図３】下部構造α（安定脚部３０及び接続ジョイント部４０）における他の例を示した模式図である。
【図４】下部構造α（安定脚部３０及び接続ジョイント部４０）における更なる他の例を示した模式図である。
【考案を実施するための形態】
【００１５】
次に本考案を実施するための実施形態について説明する。なお、以下で詳述する以外の構成については、上記した特許文献１や２を含む公知の竹馬における構造や機構を適用することができる。
【００１６】
≪第１実施形態≫
＜竹馬１００＞
本考案の第１実施形態における竹馬１００について、図１及び図４を適宜参照しながら説明する。まず図１に示すとおり、本実施形態における竹馬１００は、左右に一つずつで一対となって様々人の遊びに供され得る。なお図１では、かような竹馬を構成する一対の部材の一方を竹馬１００として説明する。
【００１７】
同図から理解されるとおり、本実施形態の竹馬１００は、足台１０、竿部２０、安定脚部３０、接続ジョイント部４０及び弾性カバー部材５０などを含んで構成されている。
足台１０は、使用者の足を載置可能な公知の踏み台である。この足台１０の構造については種々の安定機構を設けることができ、例えば特許文献２に開示された付勢部材などを追加してもよい。
【００１８】
竿部２０は、ストッパを介して足台１０が取り付けられる棒状部材である。なお足台１０を固定するストッパとしては、特に制限はなく、例えば接着剤による固定や特許文献２に開示された支持部材１９など公知の種々の固定機構が適用できる。なお竿部２０の材質に特に制限はなく、例えばプラスチックや金属など公知の材質を適用できる。
【００１９】
また、竿部２０の下端部には、後述する安定脚部３０及び接続ジョイント部４０が設けられている。なお後述するとおり、竿部２０の下端と、接続ジョイント部４０の上端接続部４１ａとが、例えば溶接や圧入あるいは接着剤など公知の種々の固定手段を介して互いに接続されている。
【００２０】
安定脚部３０は、前記した竿部２０の下端に設けられて、接地面（地面やアスファルトなど）と少なくとも３点以上で接地する支柱部３１と、この支柱部３１が取り付けられるベース本体３２とを備えてなる。この安定脚部３０によって、例えば初心者や不慣れな使用者も竹馬に安定して乗ることが可能となっている。
【００２１】
ベース本体３２は、後述する接続ジョイント部４０と支柱部３１との間に介在する基台であり、例えば金属やプラスチックなどの材料で構成されている。このベース本体３２の上端には、接続ジョイント部４０と接続される接続部３３が形成されている。
【００２２】
なお本実施形態の接続部３３は、接続ジョイント部４０の少なくとも一部が収容される収容凹部となっている。しかしながら接続部３３の形態は上記に限定されず、例えば上記した接着剤や溶接など公知の固定手段を適用してもよい。
【００２３】
支柱部３１は、上記したとおり接地面と接地する少なくとも３つの支柱を有してなる。なお図１では３つの支柱が図示されているが、例えばベース本体３２に対して３つまたは４つの支柱を有することが好ましい。本実施形態では、一例として、ベース本体３２に３つの支柱部３１が設けられた例について説明する。
【００２４】
図２に示すとおり、各々の支柱は、ベース本体３２の底面に接続される支部３４（支部３４ａ〜３４ｃ）と、この支部３４の下端に配置されて接地面と接地するとともに後述する第１弾性支持体４１の硬度よりも軟質の第２弾性支持体３５（第２弾性支持体３５ａ〜３５ｃ）を含んで構成されている。
【００２５】
なおクッション材としても機能する第２弾性支持体３５は、必ずしも必須ではなく適宜省略してもよい。また、支部３４の材質にも特に制限はなく、上記したベース本体３２と同様に、金属やプラスチックなど公知の種々の材質を適用できる。
【００２６】
接続ジョイント部４０は、前記した安定脚部３０と竿部２０とを接続する機能を有している。本実施形態における接続ジョイント部４０は、足台１０に使用者の足が載置されていないときに竿部２０を立接させるとともに足台１０に使用者の足が載置されたときに竿部２０の上端部（使用者が把持する竿部２０の先端側）を揺動可能に支持する第１弾性支持体４１を含んで構成されている。これにより、使用者が竹馬を使用していない場合には竹馬１００を自立させて（収納に要するスペースを最小化して）当該竹馬を収納することが可能となっている。
【００２７】
第１弾性支持体４１は、単体または他の部品と協働することで、竿部２０を垂直に立設させることが可能な弾性を有している。かような第１弾性支持体４１は、図２に示すように、安定脚部３０の接続部３３（本例では凹部）に配設される下端接続部４１ｂと、竿部２０の下端と接続される上端接続部４１ａと、を含む円筒状ゴム部材（ゴム芯Ｅ）により構成されていることが望ましい。また、下端接続部４１ｂは、例えば固定部ＦＰ（接着剤など）を介して接続部３３（凹部）に固定されていることが好ましい。
【００２８】
この円筒状ゴム部材の材質としては、対象年齢や形状に応じて適宜選択可能であって特に制限されず、例えば天然ゴムの他、少なくとも一部が化学的に合成されたイソプレンゴム、ブタジエンゴム、ウレタンゴム、ニトリルゴム、クロロプレンゴム、シリコンゴム、フッ素ゴムなど合成ゴムなどの公知の種々のゴム材料を適用できる。
【００２９】
なお上述したとおり、この上端接続部４１ａと竿部２０の下端とは公知の固定手段で固定されるとともに、下端接続部４１ｂとベース本体３２の接続部３３とも公知の固定手段を介して固定されていることが好ましい。これにより、例えば使用者が竿部２０を持ち上げたときにも下部構造α（安定脚部３０および接続ジョイント部４０）の少なくとも一部が離脱してしまうことが抑制できる。
【００３０】
なお図２に示すとおり、接続ジョイント部４０は弾性変形が可能なように構成されているため、この特性が長く維持できるように耐久性が高いほうがよい。したがって、本実施形態の竹馬１００では、この接続ジョイント部４０をカバーする弾性カバー部材５０をさらに備えることが好ましい。
【００３１】
この弾性カバー部材５０は、竿部２０が挿入可能な上部開口が形成されるとともにベース本体３２の上部に接するように下部開口が形成された筒状の部材で構成されている。かような弾性カバー部材５０は、接続ジョイント部４０の変位に追従して変形可能に当該接続ジョイント部４０を覆うことから、材質としては上記した各種の公知のゴム材料などが好適である。
【００３２】
なお、かような第１弾性支持体４１は、図２に示す円筒状ゴム部材に限定されない。すなわち、第１弾性支持体４１は、上記した竿部２０と安定脚部３０とを接続して弾性変形可能であれば、他の材質や構造を適用してもよい。
【００３３】
また、かような第１弾性支持体４１は、図２に示すように単体で構成される形態に限定されない。すなわち、第１弾性支持体４１は、上記した竿部２０と安定脚部３０とを接続して弾性変形可能であれば、単体で構成されずに複数の部品で構成される形態を適用してもよい。
【００３４】
以上説明した本実施形態の竹馬１００によれば、使用者はこの竹馬１００を一対備えた竹馬に比較的安定して乗ることができ、さらに利用後には竹馬１００を自立させて収納スペースにそれぞれ収容することが可能となっている。
【００３５】
なお上記した実施形態においては、各支柱にそれぞれ設けられた第２弾性支持体３５は、互いに同程度の硬度を有していた。これに対して以下で説明する変形例では、複数の第２弾性支持体３５において、少なくとも一部の第２弾性支持体３５が他の第２弾性支持体３５と硬度が異なっている。
【００３６】
すなわち、図３に示すように、使用者はバランスを取るため竹馬に乗った状態では竿部２０が傾斜することが想定される。したがって、各支柱における第２弾性支持体３５は、竿部２０の上端部が傾斜する側に位置するものと、その反対側に位置するものとに分類できる。
【００３７】
そこで、本変形例では、各々の支柱に配設される第２弾性支持体３５は、竿部２０の傾斜方向の側が相対的に低い硬度となるように、互いに異なる硬度を有してなる構成としている。より具体的には、図３に示すように、使用時に傾斜する側に対応する第２弾性支持体３５ａの硬度は、その反対側に対応する第２弾性支持体３５ｂの硬度よりも低くなるように設定されている。これにより使用者は、竹馬１００の足台１０に乗った際に前傾しやすい一方で後傾はし難いため安定姿勢を取りやすくなる。
【００３８】
このように接続ジョイント部４０を中心に、使用時の安定姿勢を考慮して、竿部２０の上端部が傾斜する側に対応する第２弾性支持体３５の硬度を、その反対側に対応する第２弾性支持体３５の硬度よりも低く設定してもよい。
【００３９】
なお、このとき、足台１０のベース本体３２に対する取り付け位置が常に一定（同じ向き）となるようにする必要がある。これに対しては、例えば図４（ａ）に示すように、竿部２０にキーＫと弾性カバー部材５０などにキー溝Ｋ／Ｗとを設けることが考えられる。
【００４０】
または、例えば図４（ｂ）に示すように竿部２０の下端側断面を三角形として弾性カバー部材５０の上部開口を上記三角形に対応する形状とすることなどが考えられる。
あるいは、竿部２０の安定脚部３０に対する着脱を考慮しないのであれば、予め上記の関係性を有する形で竿部２０と安定脚部３０とを接続してもよい。
【００４１】
以上、添付図面を参照しながら本考案の好適な実施形態および変形例について詳細に説明したが、本考案はかかる例に限定されない。本考案の属する技術の分野における通常の知識を有する者であれば、実用新案登録請求の範囲に記載された技術的思想の範疇内において、これら実施形態や変形例に対して更なる修正を試みることは明らかであり、これらについても当然に本考案の技術的範囲に属するものと了解される。
【産業上の利用可能性】
【００４２】
本考案は、様々な人が安定して使用できるとともに使用後の収納性にも優れた竹馬を実現するのに適している。
【符号の説明】
【００４３】
１００  竹馬
１０  足台
２０  竿部
３０  安定脚部
４０  接続ジョイント部
５０  カバー部材
【図１】
0003228258.tif 000003
【図２】
0003228258.tif 000004
【図３】
0003228258.tif 000005
【図４】
0003228258.tif 000006